(57)【要約】【課題】使用者が座標入力部の座標に過度な注意を払うことなく、情報処理装置を利用することができる情報処理装置を提供する。【解決手段】所定の領域を有する座標入力部３３０と、領域内の特定の領域であって、摩擦係数が領域内の他の箇所と異なる特徴領域４１０と、領域上への使用者の接触を検知して接触された座標を取得する座標取得部と、座標取得部が取得した座標の履歴に基づいて所定の処理を実行するプロセッサとを備える情報処理装置。【選択図】図４
2014154061.tif 000002
【特許請求の範囲】
【請求項１】
所定の領域を有する座標入力部と、
前記領域内の特定の領域であって、表面の粗さが前記領域内の他の箇所と異なる特徴領域と、
前記領域上への使用者の接触を検知したセンサから接触された座標を取得する座標取得部と、
前記座標取得部が取得した座標の履歴に基づいて所定の処理を実行するプロセッサと、
を備える情報処理装置。
【請求項２】
前記プロセッサは、前記座標取得部が取得した座標の履歴に基づいて、少なくとも二種類の異なる処理を実行し、前記処理の内の一つである特定処理は前記特徴領域上の座標が前記座標取得部の取得した座標の履歴に含まれることを必要条件として実行される、
請求項１に記載の情報処理装置。
【請求項３】
前記情報処理装置は表示部を更に有し、
前記特定処理は前記表示部に表示される情報をスクロールするスクロール処理である、
請求項２に記載の情報処理装置。
【請求項４】
前記特徴領域はリング形状である、
請求項３に記載の情報処理装置。
【請求項５】
前記特定処理は、使用者が前記特徴領域上に連続的に接触したことが前記座標取得部の取得した座標の履歴に含まれることを必要条件として実行される、請求項２から４に記載の情報処理装置。
【請求項６】
前記特定処理は、使用者が前記特徴領域上に連続的に接触したことが前記座標取得部の取得した座標の履歴に含まれ、かつ、前記履歴に含まれる所定の２箇所の座標が所定の座標に対してなす角度が所定の値以上であることを必要条件として実行される、請求項５に記載の情報処理装置。
【請求項７】
前記特定処理は、使用者が前記特徴領域に接触した後に前記領域内における前記特徴領域外に接触したことが前記座標取得部の取得した座標の履歴に含まれることを必要条件として実行される、請求項２に記載の情報処理装置。
【請求項８】
前記特定処理は、使用者が前記特徴領域上に連続的に接触したことが前記座標取得部の取得した座標の履歴に含まれることを必要条件として実行された後に、さらに、使用者が前記座標入力部上に連続的に接触したことを前記座標取得部の取得した座標の履歴に含まれることを必要条件として継続的に実行される、請求項５に記載の情報処理装置。
【請求項９】
前記特徴領域は色が前記領域内の他の箇所と異なる、
請求項１に記載の情報処理装置。
【請求項１０】
前記特徴領域は前記領域内の他の箇所に対する起伏である、
請求項１に記載の情報処理装置。
【発明の詳細な説明】
【技術分野】
【０００１】
本開示は、情報処理装置に関する。
【背景技術】
【０００２】
特許文献１は、情報処理装置を開示する。この情報処理装置は角度算出手段とスクロール手段を備える。これにより、少ない操作でスクロールを継続することができる。
【先行技術文献】
【特許文献】
【０００３】
【特許文献１】特開２００３−２３３４５５号公報
【発明の概要】
【発明が解決しようとする課題】
【０００４】
本開示は、使用者が座標入力部の座標に過度な注意を払うことなく、情報処理装置を利用することができる、情報処理装置を提供する。
【課題を解決するための手段】
【０００５】
本開示における情報処理装置は、所定の領域を有する座標入力部と、領域内の特定の領域であって、摩擦係数が領域内の他の箇所と異なる特徴領域と、領域上への使用者の接触を検知したセンサから接触された座標を取得する座標取得部と、座標取得部が取得した座標の履歴に基づいて所定の処理を実行するプロセッサと、を備える。
【発明の効果】
【０００６】
本開示における情報処理装置は、使用者が座標入力部の座標に過度な注意を払うことなく、情報処理装置を利用することができる。
【図面の簡単な説明】
【０００７】
【図１】実施の形態１における情報処理装置の外観を示す図
【図２】実施の形態１における情報処理装置の使用の状態を示す図
【図３】実施の形態１における情報処理装置の詳細な構成を示す図
【図４】実施の形態１における情報処理装置の座標入力部を拡大した図
【図５】実施の形態１における座標入力部の表面を強調した断面図
【図６】実施の形態１における情報処理装置のブロック図
【図７】実施の形態１におけるスクロール処理の判定を説明するフローチャート
【図８】変形例１における座標入力部の断面図
【図９】変形例２における座標入力部の拡大図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者（ら）は、当業者が本開示を十分に理解するために添付図面および以下の説明を提供するのであって、これらによって特許請求の範囲に記載の主題を限定することを意図するものではない。
【００１０】
（実施の形態１）
以下、図１〜７を用いて、実施の形態１を説明する。
【００１１】
［１−１．構成］
図１は、実施の形態１における情報処理装置の外観を示す図である。
【００１２】
情報処理装置１１０はＯＳ（Ｏｐｅｒａｔｔｉｎｇ  Ｓｙｓｔｅｍ）に基づいて所定の情報処理を行う。本実施の形態では情報処理装置の一例としてノートパソコンを適用した。本開示が適用される情報処理装置はノートパソコンに限られない。本開示は情報処理装置としてのタブレットＰＣやスマートフォンに適用可能である。
【００１３】
図２は、実施の形態１における情報処理装置の使用の状態を示す図である。
【００１４】
第１の筐体２１０は情報処理装置１１０を構成する筐体の一部である。第１の筐体２１０は第２の筐体２２０と開閉自在にヒンジ（図示しない）で接続されている。
【００１５】
図３は、実施の形態１における情報処理装置の詳細な構成を示す図である。
【００１６】
表示部３１０は画像や映像を情報処理装置１１０の使用者に表示する。表示部３１０は典型的には液晶ディスプレイが用いられる。表示部３１０は第１の筐体２１０の内部に保持される。
【００１７】
キーボード３２０は情報処理装置１１０の使用者からのキー入力を受け付ける。キーボード３２０は第２の筐体２２０に形成される。
【００１８】
座標入力部３３０は第２の筐体２２０上の所定の領域を有する。情報処理装置１１０の使用者は座標入力部３３０に接触することで様々な指令を情報処理装置１１０に伝える。
【００１９】
副操作部３４０は複数のボタンと指紋検知センサを備える。情報処理装置１１０の使用者は副操作部３４０を操作することで様々な指令を情報処理装置１１０に伝える。
【００２０】
図４は、実施の形態１における情報処理装置の座標入力部を拡大した図である。
【００２１】
特徴領域４１０は座標入力部３３０の領域内の特定の領域である。
【００２２】
他の領域４２０は座標入力部３３０の領域内の特徴領域４１０ではない領域である。
【００２３】
特徴領域４１０はリング形状である。本開示においてリング形状とは略円状の領域の中央付近から当該円より小さな略円状の領域を除外した形状を含む。本開示においてリング形状とは楕円のリング形状を含む。本開示においてリング形状とは環の一部が断続的に形成された形状を含む。
【００２４】
図５は、実施の形態１における座標入力部の表面を強調した断面図である。図５は、図４に示されるＡ−Ａ´における断面図である。特徴領域４１０は表面の粗さが他の領域４２０と異なる。具体的には、特徴領域４１０の表面の粗さは他の領域４２０より細かい。他の領域４２０の表面は特徴領域４１０より、表面の粗さ、荒い。使用者は特徴領域４１０の表面を接触した際に、他の領域４２０の表面を接触した際よりひっかかりを感じ易い。なお、特徴領域４１０は表面の粗さが他の領域４２０と異なれば良く、例えば表面の粗さが他の領域４２０より高くてもよい。ただし、本実施の形態のように特徴領域４１０の表面の粗さを他の領域４２０より低くすると、使用者が情報処理装置１１０を扱いやすい。なぜならば、表面の粗さは高いほうが、使用者にとって扱いやすく、後述するスクロール処理等の特定処理以外の処理は、他の領域４２０を含む領域上への使用者の接触によって実行されることが多いからである。なお、先に述べた通り図５における座標入力部の表面は強調をされている。よって、本開示を実装する場合は図５に開示したような断面を必ずしも形成しない場合があり得る。具体的には、他の領域４２０の表面が過度に特徴領域４１０より突出しない場合もあり得る。
【００２５】
センサ５１０は座標入力部３３０の領域上への使用者の接触を検知する。センサ５１０の具体的構成としては圧力が加わったことを検知する圧力センサや、静電容量が変化したことを検知する静電容量センサが挙げられる。
【００２６】
図６は、実施の形態１における情報処理装置のブロック図である。
【００２７】
記憶装置６１０は、情報処理装置の処理に必要なデータを一時的、又は恒久的に保存する。例えば、記憶装置６１０にはプログラムが保存される。
【００２８】
プロセッサ６２０は、記憶部に保存されたプログラムを実行する。プロセッサ６２０は、情報処理装置１１０の他の構成要素を制御する。
【００２９】
バス６３０は、情報処理装置１１０の他の構成要素が送受信する電気信号が通る箇所である。バス６３０を介して制御信号やデータが情報処理装置１１０の各構成要素の間で送受信される。
【００３０】
座標取得部６４０は、センサ５１０が検知した座標入力部３３０領域上への接触に対応して、接触された座標をプロセッサ６２０が処理する形式に変換する。座標は例えば（Ｘ，Ｙ）のような構造を有する形式へ変換される。
【００３１】
画像制御部６５０は、プロセッサ６２０からの制御に基づき、表示部３１０に表示する情報を表示部３１０が処理する形式に変更する。
【００３２】
プロセッサ６２０は座標取得部６４０が取得した座標の履歴に基づいて記憶装置６１０に保存されたプログラムを介して情報処理装置１１０の各構成要素に所定の処理を実行する。
【００３３】
［１−２．動作］
以上のように構成された情報処理装置について、その動作を以下説明する。
【００３４】
図７は、実施の形態１におけるスクロール処理の判定を説明するフローチャートである。
【００３５】
図７のフローチャートにおける各処理はプロセッサ６２０によって実行される。
【００３６】
ステップＳ７１０では、押下イベントが開始される。ステップＳ７１０はスクロール処理が実行される契機の一つである。押下イベントとは、座標入力部３３０に接触が検知されたことを、情報処理装置１１０に認識させるイベントである。押下イベントの開始を情報処理装置１１０に認識させる具体的な方法の一例として、座標取得部６４０が座標を取得する度に、当該座標をプロセッサ６２０がバス６３０を介して取得し、所定のプログラムを実行する方法が挙げられる。この所定のプログラムには情報処理装置１１０の記憶装置６１０にインストールされたＯＳが用意するプログラムを利用してもよい。
【００３７】
ステップＳ７２０では、押下イベントの開始時または開始後に座標取得部６４０が取得した座標（Ｐ）がＰ１として記憶装置６１０に記憶さる。
【００３８】
ステップＳ７３０では処理ステップが１単位時間だけ進められる（ｔ＝ｔ＋１）。なお、本ステップに代えて座標取得部６４０が取得する座標が変化した際にＳ７４０に進むようにしても良い。
【００３９】
ステップＳ７４０では、座標取得部６４０が取得した座標（Ｐ）がＰ２として記憶装置６１０に記憶される。
【００４０】
ステップＳ７５０では、記憶装置６１０に記憶されたＰ１とＰ２の角度が算出される。Ｐ１とＰ２の角度を算出する方法の一例としては、所定の点からＰ１に対して引かれる線分と、当該所定の点からＰ２に対して引かれる線分とが成す角の角度を算出する方法が挙げられる。
【００４１】
ステップＳ７６０では、ステップＳ７５０で算出された角度が所定の値より大きいか否かが判定される。また、併せてＰ１とＰ２が共に特徴領域上の座標であるかが判定される。
【００４２】
ステップＳ７７０（ステップＳ７６０でＹｅｓ）では、スクロール処理が実行される。スクロール処理の実行を行う方法の一例としては、情報処理装置１１０の記憶装置６１０にインストールされたＯＳが用意する標準関数を利用する方法が挙げられる。スクロール処理では表示部３１０に表示される情報がスクロールされる。例えばブラウザを用いてＷｅｂページを閲覧している際にスクロール処理が実行されることで、当該Ｗｅｂページ中における表示部３１０に表示される領域を変更することができる。
【００４３】
ステップＳ７８０（ステップＳ７６０でＮｏ）では、押下イベントが終了して（連続性を保って）いるか否かが判定される。押下イベントが終了しているか否かの判定を行う方法の一例としては、座標取得部６４０が現在も座標を取得しているか否かを判定する方法が挙げられる。未だ押下イベントが終了していない（ステップＳ７８０でＮｏ）ならばステップＳ７３０において再び処理ステップが１単位時間だけ進められる。
【００４４】
ステップＳ７９０（ステップＳ７８０でＹｅｓ）ならば、スクロール処理の判定を終了し、ポインタの移動処理を行う（スクロール処理をしない）。プロセッサ６２０は、座標取得部６４０が取得した座標の履歴に基づいて、少なくとも二種類の異なる処理を実行するのが通常である。スクロール処理以外の処理としては、マウスポインタの移動処理等が典型的に挙げられる。
【００４５】
なお、本実施の形態では特定処理の一例としてスクロール処理を説明した。しかし特定処理はこれに限られない。例えば、特定のアプリケーションの呼び出し処理を特定処理として用いてもよい。
【００４６】
［１−３．効果等］
以上のように、本実施の形態において、情報処理装置１１０は、所定の領域を有する座標入力部３３０と、領域内の特定の領域であって、摩擦係数が領域内の他の箇所と異なる特徴領域４１０とを備える。また、プロセッサ６２０は領域上への使用者の接触を検知したセンサから接触された座標を取得する座標取得部６４０と、座標取得部６４０が取得した座標の履歴に基づいて所定の処理を実行する。
【００４７】
これにより、使用者は触覚により座標入力部３３０上において現在接触している領域が特徴領域４１０か他の領域４２０かを峻別できる。そのため、使用者が座標入力部３３０の座標に過度な注意を払うことなく、情報処理装置１１０を利用することができる。
【００４８】
本実施の形態において、プロセッサ６２０は、座標取得部６４０が取得した座標の履歴に基づいて、少なくとも二種類の異なる処理を実行する。処理の内の一つである特定処理は特徴領域４１０上の座標が座標取得部６４０の取得した座標の履歴に含まれることを必要条件として実行される。
【００４９】
これにより、使用者は特徴領域４１０に紐づけられた特定処理を行いたいと思った際に、座標入力部３３０の座標に過度な注意を払うことなく、特定処理を実行できる。そのため、使用者の利便性が向上する。また、多くの機能を座標入力部３３０への接触による入力に対応させても使用者の混乱を招き辛くなる。これにより、情報処理装置１１０の設計者は限られた領域である座標入力部３３０に多くのジェスチャ機能を実装することができる。
【００５０】
また、本実施の形態において、情報処理装置１１０は表示部３１０を更に有する。そして、特定処理は表示部３１０に表示される情報をスクロールするスクロール処理である。
【００５１】
これにより、使用者は画面に注視しながらスクロール処理を行うことができる。そのため、スクロール処理によってスクロールをし過ぎたり、またスクロール量が不足したりといった不具合を減少させることができる。
【００５２】
また、本実施の形態において、特徴領域４１０はリング形状である。
【００５３】
これにより、使用者は特徴領域４１０に継続的に接触することが可能である。そして、使用者が継続的に特徴領域４１０に接触する際にも、使用者が座標入力部３３０の座標に過度な注意を払う必要が減少する。そのため、使用者の利便性が向上する。
【００５４】
また、本実施の形態において、特定処理は、使用者が特徴領域４１０上に連続的に接触したことが座標取得部６４０の取得した座標の履歴に含まれることを必要条件として実行される。これにより、使用者は連続的に特徴領域４１０上に接触するという操作の難易度が高い処理を、座標入力部３３０の座標に過度な注意を払うことなく実行できる。そのため、使用者の利便性が向上する。
【００５５】
また、本実施の形態において、特定処理は、使用者が特徴領域４１０上に連続的に接触したことが座標取得部６４０の取得した座標の履歴に含まれ、かつ、履歴に含まれる所定の２箇所の座標が所定の座標に対してなす角度が所定の値以上であることを必要条件として実行される。
【００５６】
これにより、例えばリング形状を継続的になぞり続けるといった操作の難易度が高い処理を、使用者が座標入力部３３０の座標に過度な注意を払うことなく実行できる。そのため、使用者の利便性が向上する。
【００５７】
なお、上記の場合において、特定処理が一度実行された後は、使用者が特徴領域４１０または他の領域４２０上に連続的に接触していることを、特定処理が継続して実行される必要条件としてもよい。このようにすると、スクロール処理等を連続的に行いたい場合に、使用者は特徴領域４１０上に連続的に接触した後には、必ずしも特徴領域４１０上に連続的に接触する必要が無くなる。つまり、特徴領域４１０上に連続的に接触した後に他の領域４２０に接触しても特定処理が実行される。その為、使用者は過度な負担を受けずに連続的に特定処理を実行することが出来る。
【００５８】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。
【００５９】
そこで、以下、他の実施の形態を例示する。
【００６０】
図８は、変形例１における座標入力部の断面図である。なお、図８の構図は図５と同じである。
【００６１】
変形例１において、特徴領域８１０は他の領域４２０に対して起伏を有する。
【００６２】
これにより、特徴領域８１０に接した際に使用者は、凹凸感を感じ取ることが出来る。そのため、使用者が座標入力部３３０の座標に過度な注意を払うことなく、情報処理装置１１０を利用することができる。なお、特徴領域８１０と他の領域４２０の表面の粗さは等しくしても異ならせてもよい。
【００６３】
図９は、変形例２における座標入力部の拡大図である。
【００６４】
図９に示されるように、特徴領域９１０は特徴領域４１０のようにリング形状以外の形に形成されてもよい。
【００６５】
特徴領域９１０のように、微小な箇所のみの摩擦係数等を変化させた際は、実施の形態１で述べた処理のうち、Ｓ７６０におけるＰ１とＰ２が共に特徴領域上の座標にいるかという判定が困難になる。よって、変形例２においては当該判定条件に代えてＰ１のみが特徴領域９１０上にいるか否かという判定条件に変更をしてもよい。なお、特徴領域がリング形状である実施の形態１においても、このような条件を用いてＳ７６０を判定してもよい。
【００６６】
このように変形例２において特定処理は、使用者が特徴領域に接触した後に領域内における特徴領域外に接触したことが座標取得部の取得した座標の履歴に含まれることを必要条件として実行される。
【００６７】
これにより、使用者は、特徴領域９１０の一部に触れた後に他の領域４２０に触れることで特定処理を実行することが出来る。そのため、座標入力部３３０の構成を複雑にする必要が低減される。
【００６８】
なお、特徴領域の色を領域内の他の箇所と異なるようにしてもよい。
【００６９】
これにより、初めて情報処理装置１１０に触れる使用者にとっても特徴領域の箇所が判別し易くなる。
【００７０】
以上のように、本開示における技術の例示として、実施の形態を説明した。そのために、添付図面および詳細な説明を提供した。
【００７１】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７２】
また、上述の実施の形態は、本開示における技術を例示するためのものであるから、特許請求の範囲またはその均等の範囲において種々の変更、置き換え、付加、省略などを行うことができる。
【産業上の利用可能性】
【００７３】
本開示は、座標入力部を有する情報処理装置に適用可能である。具体的には、ノートパソコンやスマートフォンなどに、本開示は適用可能である。
【符号の説明】
【００７４】
１１０  情報処理装置
２１０  第１の筐体
２２０  第２の筐体
３１０  表示部
３２０  キーボード
３３０  座標入力部
３４０  副操作部
４１０  特徴領域
４２０  他の領域
５１０  センサ
６１０  記憶装置
６２０  プロセッサ
６３０  バス
６４０  座標取得部
６５０  画像制御部
８１０  特徴領域
９１０  特徴領域
【図１】
2014154061.tif 000003
【図２】
2014154061.tif 000004
【図３】
2014154061.tif 000005
【図４】
2014154061.tif 000006
【図５】
2014154061.tif 000007
【図６】
2014154061.tif 000008
【図７】
2014154061.tif 000009
【図８】
2014154061.tif 000010
【図９】
2014154061.tif 000011